(57)【特許請求の範囲】
【請求項１】
第１ラインの色フィルタ配列が水平方向に（マゼンタ、グリーン）、第２ラインの色フィルタ配列が水平方向に（シアン、イエロー）、第３ラインの色フィルタ配列が水平方向に（グリーン、マゼンタ）、第４ラインの色フィルタ配列が水平方向に（イエロー、シアン）の水平２画素、垂直４画素の配列を水平及び垂直方向に周期的に配置した補色モザイク色フィルタ配列、または、第１ラインの色フィルタ配列が水平方向に（マゼンタ、グリーン）、第２ラインの色フィルタ配列が水平方向に（シアン、イエロー）、第３ラインの色フィルタ配列が水平方向に（グリーン、マゼンタ）、第４ラインの色フィルタ配列が水平方向に（シアン、イエロー）の水平２画素、垂直４画素の配列を水平及び垂直方向に周期的に配置した補色モザイク色フィルタ配列、または、第１ラインの色フィルタ配列が水平方向に（マゼンタ、グリーン）、第２ラインの色フィルタ配列が水平方向に（シアン、イエロー）、第３ラインの色フィルタ配列が水平方向に（マゼンタ、グリーン）、第４ラインの色フィルタ配列が水平方向に（イエロー、シアン）の水平２画素、垂直４画素の配列を水平及び垂直方向に周期的に配置して補色モザイク色フィルタ配列、または、第１ラインの色フィルタ配列が水平方向に（マゼンタ、グリーン）、第２ラインの色フィルタ配列が水平方向に（シアン、イエロー）、の水平２画素、垂直２画素の配列を水平及び垂直方向に周期的に配置した補色モザイク色フィルタ配列を有し、各画素の信号が独立して読みだしが可能なＣＣＤ撮像素子を用いたカラービデオカメラであって、
画像の１水平走査ラインの隣り合う画素信号を平滑化することにより輝度信号を作成する手段と、マゼンタ画素、グリーン画素、シアン画素、イエロー画素の各色画素の信号値を調整する手段と、各色画素のゲイン調整値を保持する手段と、光源の色温度を検出する手段を有し、保持された各色画素のゲイン調整値を色温度検出手段の出力値により補正した値によってマゼンタ画素、グリーン画素、シアン画素、イエロー画素の各画素の信号値の利得を調整することにより、輝度信号に発生する偽信号を軽減する機能を有するビデオカメラにおいて、
輝度信号を作成する画像の走査ラインの垂直方向に隣り合う上下２走査ラインの各画素信号に対してマゼンタ画素、グリーン画素、シアン画素、イエロー画素の各色画素の信号値を調整する手段と、各色画素の信号値を調整する手段より出力された３走査ラインの信号に対して各色画素別に信号を補間する手段と、補間されたマゼンタ、グリーン、シアン、イエローの各色画素信号から２種類の分光補正信号を作成する手段と、輝度信号を作成する水平走査ラインに含まれる画素がマゼンタ／グリーン、およびシアン／イエローとなる２種類の条件それぞれについて、分光補正信号を作成する手段から出力された２種類の信号に対するゲイン調整値を保持する手段と、輝度信号を作成する水平走査ラインの含まれる画素がマゼンタ／グリーンかシアン／イエローかによって２種類のゲイン調整値を切り替える２組の手段と、前記切り替え手段の出力と分光補正信号を作成する手段の２つの出力信号を乗算する２組の乗算器と、乗算器の出力である２種類の分光補正信号と輝度信号を作成する手段からの出力信号を加算する手段により構成される、有彩色被写体画像に対して発生するラインクロールを軽減する回路を有することを特徴とするカラービデオカメラ。
【発明の詳細な説明】
【０００１】
【発明の属する技術分野】
本発明は、補色モザイク色フィルタを有する全画素読みだし方式のＣＣＤ撮像素子を用いたカラービデオカメラに関するものである。
【０００２】
【従来の技術】
図２に全画素読みだしＣＣＤ撮像素子を用いた１走査ラインによる輝度信号作成を行なう単板カラービデオカメラの構成を示す。
【０００３】
レンズ（２）を通して被写体像がＣＣＤ撮像素子（３）の撮像面に結像する。撮像素子（３）では被写体像が各画素の色フィルタを通して電気信号に変換される。
【０００４】
撮像素子（３）の出力信号はＣＤＳ／ＡＧＣ回路（４）にて不要な信号成分が取り除かれ、ＡＤコンバータ（５）にてＣＤＳ／ＡＧＣ回路の出力信号であるアナログ映像信号に比例したディジタルデータに変換される。
【０００５】
ＡＤコンバータ出力の信号データは（６）の１Ｈディレイラインにて入力された走査ラインの信号と１水平走査期間だけ遅れた走査ラインの信号、および２水平走査期間だけ遅れた走査ラインの信号が出力されて垂直３ラインが同時化される。
【０００６】
垂直３ラインのセンターのラインの出力信号は（７）の色画素ゲイン調整回路にはいる。色画素ゲイン調整回路（７）の出力はフィルタＹＨＬＰＦ（８）にて水平方向に平滑化される。
【０００７】
その後、ガンマ回路（９）、同期信号加算回路（１０）を通って輝度信号（１１）が作成される。
【０００８】
色信号は（６）の１Ｈディレイラインから出力された３走査ラインの信号から色分離回路（１２）にてＲ，Ｇ，Ｂに色信号が作成され、ホワイトバランス回路（１３）にて光源の色温度に対する補正が行なわれ、ガンマ回路（１４）、マトリックス回路（１５）、色差ゲイン回路（１６）を通して色差信号（１７）が出力される。
【０００９】
色画素ゲイン調整回路（７）では、無彩色被写体において乗算器（７−１）の出力であるマゼンタ／グリーン／シアン／イエローの各色画素の信号値が等しくなるように調整される各色画素ごとのゲイン調整値が（７−２），（７−３），（７−４），（７−５）のレジスタに保持されている。
【００１０】
レジスタ（７−２），（７−３），（７−４），（７−５）に保持されている各色画素のゲイン調整値は特定の色温度の光源の条件のもとでの設定値であり、光源の色温度の変化にしたがって無彩色被写体画像の各色画素の信号値は変化する。
【００１１】
そのため、色差ゲイン回路（１６）の出力信号から色温度検出回路（７−１１）により作成された補正信号によって乗算器（７−６），（７−７），（７−８），（７−９）にてレジスタ（７−２），（７−３），（７−４），（７−５）の各色画素のゲイン調整値が補正される。
【００１２】
全画素読みだしＣＣＤ撮像素子のカラーフィルタ配列は図３に示すようになっており、乗算器（７−１）に入力される画素信号はこの配列の左上から右へ水平方向に走査され、右端に達した後１段下のラインの左端から右に走査される。
【００１３】
そのため、乗算器（７−１）に入力される画素信号はマゼンタ／グリーン／シアン／イエローの各画素が交互に入力されることになる。
【００１４】
この各色画素の入力の順番にしたがってセレクタ（７−１０）にて乗算器（７−１）に入力される画素信号の各色画素とゲイン調整値が同期化される。
【００１５】
乗算器（７−１）では各色画素信号とその色画素に対するゲイン調整値が乗算される。
【００１６】
【発明が解決しようとする課題】
全画素読みだし補色ＣＣＤ撮像素子を用いたカラービデオカメラにおいて、１走査ラインの画素信号からＬＰＦにより輝度信号を作成する場合、マゼンタ／グリーン画素とシアン／イエロー画素により構成されている走査ラインが交互に配置されているため、各色画素の分光特性の違いによりライン間の輝度信号値が異なりラインクロールが発生する。
【００１７】
これを無くすためには無彩色被写体画像において各色画素の信号値が一致するようにゲイン調整を行なうことで可能となる。
【００１８】
しかし、マゼンタ画素とグリーン画素の分光特性を加算してできた分光特性とシアン画素とイエロー画素の分光特性を加算してできた分光特性に差があるため、この信号処理を有彩色画像に適用した場合にマゼンタ画素／グリーン画素のラインとシアン画素／イエロー画素の各走査ラインの輝度信号値に差が生じてラインクロールが発生し、画質を劣化させてしまう。
【００１９】
これについての詳細を図３、図４、図５、図６、図７を用いて説明する。
【００２０】
図３は本件で使用する画素読みだしＣＣＤ撮像素子の色フィルタ配列の１例を示す。
【００２１】
この色フィルタ配列は、配列の水平周期をＴｈ、垂直周期をＴｖとして、第１ラインの色フィルタ配列が水平方向に（マゼンタ、グリーン）、第２ラインの色フィルタ配列が水平方向に（シアン、イエロー）、第３ラインの色フィルタ配列が水平方向に（グリーン、マゼンタ）、第４ラインの色フィルタ配列が水平方向に（イエロー、シアン）の水平２画素、垂直４画素の配列を水平、垂直方向に周期的に配置した補色モザイク色フィルタ配列を有しており、各色画素ごとの２次元空間周波数特性は図４に示すように
（ｆｈ，ｆｖ）＝（０，０），
（ｆｈ，ｆｖ）＝（１／（２Ｔｈ），１／（４Ｔｖ）），
（ｆｈ，ｆｖ）＝（０，１／（２Ｔｖ）），
（ｆｈ，ｆｖ）＝（１／（２Ｔｈ），３／（４Ｔｖ））
の空間周波数の点にキャリアが発生し、そのキャリアの位相関係は図の矢印の方向で示されるようになる。
【００２２】
ここで、無彩色被写体画像においてマゼンタ／グリーン画素とシアン／イエロー画素の各々の走査ラインにて水平方向に平滑化することにより輝度信号を作成した場合、
（ｆｈ，ｆｖ）＝（０，１／（２Ｔｖ））
の空間周波数におけるマゼンタのキャリアとグリーンのキャリアを合成したキャリアと、シアンのキャリアとイエローのキャリアの合成したキャリアが残る。
【００２３】
このキャリア成分は輝度変化のない平坦な画像の領域に１水平走査ライン毎に変化するラインクロールを発生することになる。
【００２４】
この２つの合成キャリアは、互いに１８０°の位相差を持っているため、無彩色被写体画像において  マゼンタ／グリーン／シアン／イエローの各色画素の信号値をＭｇ，Ｇｒ，Ｃｙ，Ｙｅとした場合に、
Ｍｇ＝Ｇｒ＝Ｃｙ＝Ｙｅ  （１）
が成り立つように各色画素のゲインを調整することにより
（Ｍｇ＋Ｇｒ）＝（Ｃｙ＋Ｙｅ）
となり、２つの合成キャリアは互いに打ち消し合って、輝度信号としてのキャリアの発生を抑圧することが出来る。
【００２５】
これにより、輝度信号の垂直方向の信号帯域は図５（Ａ）に示すように
（ｆｈ，ｆｖ）＝（０，１／（２Ｔｖ））
まで減衰させること無く利用することが可能となり垂直解像度を限界まで上げることが出来る。
【００２６】
ここで、前述の２つの合成キャリアの分光特性について考察してみる。
【００２７】
各色画素の分光特性の例を図７に示す。
【００２８】
マゼンタ（Ｍｇ）／グリーン（Ｇｒ）／シアン（Ｃｙ）／イエロー（Ｙｅ）の各色画素の分光特性はそれぞれ  ７−Ａ−１、７−Ａ−２、７−Ａ−３、７−Ａ−４で表されている。
【００２９】
これらの４色の各画素信号値に
Ｍｇ＝Ｇｒ＝Ｃｙ＝Ｙｅ
が成立するように調整された画素信号値から作成された前述の２つの合成キャリア（Ｍｇ＋Ｇｒ），（Ｃｙ＋Ｙｅ）の合成分光特性は図８のようになる。
【００３０】
ここで７−Ｂ−１がマゼンタ／グリーン画素の走査ラインの輝度信号の分光特性で、７−Ｂ−２がシアン／イエロー画素の走査ラインの輝度信号の分光特性である。
【００３１】
波長をλとして、光源の分光分布Ｌ（λ）、被写体の分光反射率Ｏ（λ）、マゼンタ／グリーン画素の合成キャリアの分光特性Ｆｇｍ（λ）、シアン／イエロー画素の合成キャリアの分光特性Ｆｙｃ（λ）とおくと、無彩色被写体の場合は、（１）式から、
【００３２】
【数１】
0003569466.tif 000002
が成り立っている。
【００３３】
ところが、有彩色の画像を撮影した場合には、被写体の分光反射率Ｏ（λ）の分光特性が（２）式の無彩色被写体の場合とは異なるために（２）式の等式が成立しない。
【００３４】
これは、図４の（ｆｈ，ｆｖ）＝（０，１／（２Ｔｖ））に発生する、前述の２つの合成キャリア成分が打ち消されずに残ることを意味し、結果的に画像に１走査ライン毎に輝度変化が発生してラインクロールとなり、画質を劣化させることになる。
【００３５】
【課題を解決するための手段】
本発明は、これを改善するために、前記のゲイン調整されたマゼンタ画素／グリーン画素／シアン画素／イエロー画素の各画素別に２次元ＬＰＦによる補間を行ない、
Ｃ１＝Ｍｇ’−Ｇｒ’＋Ｙｅ’−Ｃｙ’
Ｃ２＝Ｍｇ’−Ｇｒ’−Ｙｅ’＋Ｃｙ’
の総合分光特性の異なる２種類の信号を作成する。
【００３６】
マゼンタ／グリーン画素とシアン／イエロー画素の各ラインで作成された輝度信号にＣ１とＣ２の適当な係数を乗じて加算することによりマゼンタ／グリーン画素とシアン／イエロー画素の輝度信号の持つ総合分光特性を一致させることが可能となり、有彩色被写体画像についてもラインクロールの発生を抑えることができる。
【００３７】
このＣ１，Ｃ２の信号は無彩色被写体画像においてはゲイン調整によりＭｇ’＝Ｇｒ’＝Ｙｅ’＝Ｃｙ’であるため、Ｃ１＝Ｃ２＝０が成り立って無彩色被写体画像への影響は発生しない。
【００３８】
さらにＣ１とＣ２の加算量が少なければＣ１とＣ２を加算することによる垂直解像度の低下の影響は少なく、輝度信号の垂直解像度は１走査ラインで作成される輝度信号の垂直解像度とほぼ等しくなり、有彩色被写体画像におけるラインクロールの発生しない高画質の画像を得ることができる。
【００３９】
従来例で示した有彩色の画像を撮影した場合に発生する輝度信号のラインクロールは、図８における８−１と８−２の分光特性の差により発生することから、この分光特性を一致させる処理を行うことでこの問題を解決することが出来るが、図８の８−１と８−２の分光特性に含まれる成分を全く一致させる、すなわち各走査ラインの成分を、
Ｍｇ＋Ｇｒ＋Ｃｙ＋Ｙｅ
とすると、これは垂直に隣り合う２走査ラインの信号を同一の比で加算することになり垂直の解像度が低下してしまう。
【００４０】
そこで、無彩色被写体画像におけるラインクロールを抑圧するために行なった各色画素ごとのゲイン調整後の画素信号に対して、各色画素別に２次元補間処理を行った画素信号Ｍｇ’，Ｇｒ’，Ｃｙ’，Ｙｅ’を用いて、２種類の分光補正信号
Ｃ１＝Ｍｇ’−Ｇｒ’＋Ｙｅ’−Ｃｙ’
Ｃ２＝Ｍｇ’−Ｇｒ’−Ｙｅ’＋Ｃｙ’
の信号を作成する。
【００４１】
この信号の分光特性を図９の９−１、図１０の１０−１に示す。
【００４２】
この２種類の分光補正信号にそれぞれゲイン調整を行なってマゼンタ／グリーン画素の走査ラインで作成した輝度信号に加算する。
【００４３】
さらにシアン／イエロー画素の走査ラインで作成した輝度信号に対しても同じように２種類の分光補正信号にそれぞれゲイン調整を行なって加算し、図１１の１１−１に示すように加算後のそれぞれの走査ラインの輝度信号の分光特性が一致するよう調整を行なう。
【００４４】
この操作により、マゼンタ／グリーン画素の走査ラインで作成した輝度信号とシアン／イエロー画素の走査ラインで作成した輝度信号の有彩色被写体画像に対する信号値の差はなくなり、ラインクロールの発生を抑圧することが出来る。
【００４５】
ここで、Ｃ１，Ｃ２の信号は、無彩色被写体画像においてはＭｇ＝Ｇｒ＝Ｃｙ＝ＹｅであるからＣ１＝０，Ｃ２＝０となり、無彩色被写体画像の輝度信号の信号値への影響は発生しない。
【００４６】
また、マゼンタ／グリーン／シアン／イエローの各色画素の配列は水平／垂直２画素周期であるため、補間回路によって図６の６−Ａ、６−Ｂの周波数特性を持つ２次元フィルタがかけられる。
【００４７】
これにより、各色別の画素信号帯域は図６の（６−Ａ）の帯域に制限されるとともに、（ｆｈ，ｆｖ）＝（０，１／（２Ｔｖ））の空間周波数の成分は抑圧される。
【００４８】
よって、Ｃ１，Ｃ２の信号にはラインクロールは発生しないため、輝度信号に加算してもラインクロールを発生させることはない。
【００４９】
さらに、Ｃ１，Ｃ２の各走査ラインの輝度信号に対する補正量、すなわち、分光補正信号に対するゲイン調整値の値が小さければ垂直解像度はもとの走査ライン単位で作成した輝度信号の特性により決定されるので周波数特性への影響もわずかであり、ゲイン調整値が大きい場合にはＣＣＤ撮像素子の色フィルタの分光特性を若干修正することでゲイン調整値を少なくすることも可能である。
【００５０】
以上の考察により、有彩色被写体の画像に対してもラインクロールの発生することなく、図５（Ａ）に示す２次元空間周波数帯域であるところのナイキストのサンプリング定理での限界であるｆｖ＝１／（２Ｔｖ）の周波数帯域まで垂直解像度のある高画質画像を得ることが出来る。
【００５１】
なお、本発明は、ＣＣＤの補色モザイク色フィルタの配列としてマゼンタ／グリーン画素により構成される走査ラインとシアン／イエローにより構成される走査ラインが垂直方向に交互に並ぶ配列であれば同様の効果が得られるため、例として上げた第１ラインの色フィルタ配列が水平方向に（マゼンタ、グリーン）、第２ラインの色フィルタ配列が水平方向に（シアン、イエロー）、第３ラインの色フィルタ配列が水平方向に（グリーン、マゼンタ）、第４ラインの色フィルタ配列が水平方向に（イエロー、シアン）の水平２画素、垂直４画素の補色モザイク色フィルタ配列以外にも、第１ラインの色フィルタ配列が水平方向に（マゼンタ、グリーン）、第２ラインの色フィルタ配列が水平方向に（シアン、イエロー）、第３ラインの色フィルタ配列が水平方向に（グリーン、マゼンタ）、第４ラインの色フィルタ配列が水平方向に（シアン、イエロー）の水平２画素、垂直４画素の補色モザイク色フィルタ配列、または、第１ラインの色フィルタ配列が水平方向に（マゼンタ、グリーン）、第２ラインの色フィルタ配列が水平方向に（シアン、イエロー）、第３ラインの色フィルタ配列が水平方向に（マゼンタ、グリーン）、第４ラインの色フィルタ配列が水平方向に（イエロー、シアン）の水平２画素、垂直４画素の補色モザイク色フィルタ配列、または、第１ラインの色フィルタ配列が水平方向に（マゼンタ、グリーン）、第２ラインの色フィルタ配列が水平方向に（シアン、イエロー）、の水平２画素、垂直２画素の補色モザイク色フィルタ配列についても同様の効果を得ることができる。
【００５２】
【発明の実施の形態】
図１に本発明の実施の形態を示す。
【００５３】
レンズ（２）を通して被写体像がＣＣＤ撮像素子（３）の撮像面に結像する。撮像素子（３）では被写体像が各画素の色フィルタを通して電気信号に変換される。
【００５４】
撮像素子（３）の出力信号はＣＤＳ／ＡＧＣ回路（４）にて不用な信号成分が取り除かれ、ＡＤコンバータ（５）にてＣＤＳ／ＡＧＣ回路の出力信号であるアナログ映像信号に比例したディジタルデータに変換される。
【００５５】
ＡＤコンバータ出力の信号データは（６）の１Ｈディレイラインにて入力された走査ラインの信号と１水平走査期間だけ遅れた走査ラインの信号、および２水平走査期間だけ遅れた走査ラインの信号が出力されて垂直３ラインが同時化される。
【００５６】
垂直３ラインのセンターのラインの出力信号は（１）の色画素ゲイン調整回路にはいる。
【００５７】
色画素ゲイン調整回路（１）にて色画素別にレベル調整された画素信号出力はフィルタＹＨＬＰＦ（８）にて水平方向に平滑化される。
【００５８】
その後、再び画素ゲイン調整回路（１）に入力されて有彩色でのラインクロール軽減処理が行なわれた後、ガンマ回路（９）、同期信号加算回路（１０）を通って輝度信号（１１）が作成される。
【００５９】
色信号は（６）の１Ｈディレイラインから出力された３走査ラインの信号から色分離回路（１２）にてＲ，Ｇ，Ｂに色信号が作成され、ホワイトバランス回路（１３）にて光源の色温度に対する補正が行なわれ、ガンマ回路（１４）、マトリックス回路（１５）、色差ゲイン回路（１６）を通して色差信号（１７）が出力される。
【００６０】
色画素ゲイン調整回路（１）では、１Ｈディレイライン（６）で同時化された垂直方向に隣り合う３走査ラインの信号が入力される。
【００６１】
この３走査ラインの画素信号に対し、無彩色被写体において乗算器（１−１），（１−１５），（１−１６）の出力であるマゼンタ／グリーン／シアン／イエローの各色画素の信号値が等しくなるように調整するための各色画素ごとのゲイン調整値が（１−２），（１−３），（１−４），（１−５）のレジスタに保持されている。
【００６２】
レジスタ（１−２），（１−３），（１−４），（１−５）に保持されている各色画素のゲイン調整値は特定の色温度の光源の条件のもとでの設定値であり、光源の色温度の変化にしたがって無彩色被写体画像の各色画素の信号値は変化する。
【００６３】
そのため、色差ゲイン回路（１６）の出力信号から色温度検出回路（１−１１）により作成された補正信号によって乗算器（１−６），（１−７），（１−８），（１−９）にてレジスタ（１−２），（１−３），（１−４），（１−５）の各色画素のゲイン調整値が補正される。
【００６４】
全画素読みだしＣＣＤ撮像素子のカラーフィルタ配列は図３に示すようになっており、乗算器（１−１），（１−１５），（１−１６）に入力される画素信号はこの配列の左上から右へ水平方向に走査され、右端に達した後に１段下のラインの左端から右に走査される。
【００６５】
そのため、乗算器（１−１），（１−１５），（１−１６）に入力される画素信号はマゼンタ／グリーン／シアン／イエローの各画素が交互に入力されることになる。
【００６６】
この各色画素の入力の順番にしたがってセレクタ（１−１０），（１−１３），（１−１４）にて乗算器（１−１），（１−１５），（１−１６）のそれぞれに入力される画素信号の各色画素とゲイン調整値が同期化される。
【００６７】
乗算器（１−１），（１−１５），（１−１６）では各色画素信号とその色画素に対するゲイン調整値が乗算される。
【００６８】
補間回路（１−１７）では、乗算器（１−１），（１−１５），（１−１６）にてゲイン調整された３走査ラインの画素信号より、各色画素別に２次元補間フィルタを施す。
【００６９】
これにより、各色画素ごとの２次元空間周波数の（ｆｈ，ｆｖ）＝（０，１／（２Ｔｖ））のキャリア成分を抑圧させる。
【００７０】
補間回路（１−１７）からは（ａ），（ｂ），（ｃ），（ｄ）の各端子に、補間されたマゼンタ、グリーン、シアン、イエローの各画素の信号が出力される。
【００７１】
分光補正信号作成回路（１−１８）ではこの補間回路（１−１７）の出力信号から
Ｃ１＝Ｍｇ’−Ｇｒ’＋Ｙｅ’−Ｃｙ’
Ｃ２＝Ｍｇ’−Ｇｒ’−Ｙｅ’＋Ｃｙ’
の式により分光補正信号Ｃ１，Ｃ２を作成し、図１の分光補正信号作成回路（１−１８）の（ｅ），（ｆ）から出力する。
【００７２】
レジスタ（１−２３），（１−２５）には図８のマゼンタ／グリーン画素の走査ラインによる輝度信号の分光特性８−１から図１１の最終分光特性１１−１に補正するために加算するＣ１，Ｃ２に対するゲイン調整値がそれぞれ格納されている。
【００７３】
また、レジスタ（１−２４），（１−２６）には図８のシアン／イエロー画素の走査ラインによる輝度信号の分光特性８−２から図１１の最終分光特性１１−１に補正するために加算するＣ１，Ｃ２に対するゲイン調整値がそれぞれ格納されている。
【００７４】
セレクタ（１−２７），（１−２８）により、ＹＨＬＰＦ（８）の輝度信号出力がマゼンタ／グリーン画素の走査ラインまたはシアン／イエロー画素の走査ラインかによってレジスタ（１−２３），（１−２４）および（１−２５），（１−２６）のいずれかを選択する。
【００７５】
セレクタ（１−２７），（１−２８）にて選択されたＣ１，Ｃ２各々に対するゲイン調整値とＣ１，Ｃ２が乗算器（１−１９），（１−２０）にてゲイン調整されて、加算器（１−２１）および（１−２２）にてＹＨＬＰＦ（８）の出力である輝度信号に加算される。
【００７６】
ＴＧ（１−１２）は、セレクタ（１−１０），（１−１３），（１−１４），（１−２７），（１−２８）の選択信号を作成する回路であり、その選択信号と画素信号とのタイミング図を図１２に示す。
【００７７】
図１２の（１２−１）は１走査期間を示す。
【００７８】
（１２−２）はＡＤコンバータ（５）の出力信号であり、乗算器（１−１５）の入力信号となる。
【００７９】
（１２−３）は１Ｈディレイ（６−１）の出力信号、（１２−４）は１Ｈディレイ（６−２）の出力信号、（１２−５）はセレクタ（１−１０）の選択信号、（１２−６）はセレクタ（１−１３）の選択信号、（１２−７）はセレクタ（１−１４）の選択信号、（１２−８）はセレクタ（１−１０）の出力信号、（１２−９）はセレクタ（１−１３）の出力信号、（１２−１０）はセレクタ（１−１４）の出力信号、（１２−１１）は補間回路（１−１７）の（ａ）の出力信号、（１２−１２）は補間回路（１−１７）の（ｂ）の出力信号、（１２−１３）は補間回路（１−１７）の（ｃ）の出力信号、（１２−１４）は補間回路（１−１７）の（ｄ）の出力信号、（１２−１５）は分光補正信号作成回路（１−１８）の（ｅ）の出力信号、（１２−１６）は分光補正信号作成回路（１−１８）の（ｆ）の出力信号、（１２−１７）はＹＨＬＰＦ（８）の出力信号、（１２−１８）はセレクタ（１−２７），（１−２８）の出選択信号、（１２−１９）はセレクタ（１−２７）の出力信号、（１２−２０）はセレクタ（１−２８）の出力信号をそれぞれ示したものである。
【００８０】
【発明の効果】
本発明によって、補色モザイク色フィルタの全画素読みだしＣＣＤを用いた単板カラービデオカメラであって、走査ラインごとに輝度信号を作成して垂直解像度を限界まで上げることのできるビデオカメラにおいて有彩色被写体を撮影した時に発生するラインクロールを抑制でき、画質劣化のない高解像度のビデオカメラを実現することが可能となる。
【図面の簡単な説明】
【図１】本発明の実施の形態を示す。
【図２】補色モザイク色フィルタ全画素読みだしＣＣＤを用いたカラービデオカメラの従来例を示す。
【図３】全画素読みだしＣＣＤ撮像素子の補色モザイク色フィルタ配列の構成例を示す。
【図４】図３の色フィルタ配列における各色画素毎の２次元周波数特性図である。
【図５】無彩色被写体画像における輝度信号の２次元周波数特性と輝度信号の周波数帯域を示した図である。
【図６】補間回路の出力信号の２次元周波数特性と補間回路の２次元フィルタ特性を示した図である。
【図７】補色モザイク色フィルタの各色の分光特性図である。
【図８】輝度信号の分光特性図である。
【図９】分光補正信号Ｃ１の分光特性図である。
【図１０】分光補正信号Ｃ２の分光特性図である。
【図１１】分光特性補正後の輝度信号の分光特性図である。
【図１２】各ブロックの画素信号のタイミングとセレクタの選択信号のタイミングを示した図である。
【符号の説明】
（１）  色画素ゲイン調整回路
（２）  レンズ
（３）  ＣＣＤ撮像素子
（４）  ＣＤＳ／ＡＧＣ回路
（５）  ＡＤコンバータ
（６）  １Ｈディレイライン
（８）  フィルタ
（９）  ガンマ回路
（１０）  同期信号加算回路
（１１）  輝度信号
（１２）  色分離回路
（１３）  ホワイトバランス回路
（１４）  ガンマ回路
（１５）  マトリックス回路
（１６）  色差ゲイン回路
（１７）  色差信号
（１−１），（１−１５），（１−１６）  乗算器
（１−２），（１−３），（１−４），（１−５）  レジスタ
（１−６），（１−７），（１−８），（１−９）  乗算器
（１−１０），（１−１３），（１−１４）  セレクタ
（１−１１）  色温度検出回路
（１−１２）  タイミング信号発生回路（ＴＧ）
（１−１７）  補間回路
（１−１８）  分光補正信号作成回路
（１−１９），（１−２０）  乗算器
（１−２１），（１−２２）  加算器
（１−２３），（１−２４），（１−２５），（１−２６）  レジスタ
（１−２７），（１−２８）  セレクタ
【図１】
0003569466.tif 000003
【図２】
0003569466.tif 000004
【図３】
0003569466.tif 000005
【図４】
0003569466.tif 000006
【図５】
0003569466.tif 000007
【図６】
0003569466.tif 000008
【図７】
0003569466.tif 000009
【図８】
0003569466.tif 000010
【図９】
0003569466.tif 000011
【図１０】
0003569466.tif 000012
【図１１】
0003569466.tif 000013
【図１２】
0003569466.tif 000014